(57)【要約】  水耕栽培システムにおいて植物への栄養素送給を改善する方法および装置が開示される。この発明のさまざまな実施の形態に従う農耕組立体は、枠（１８）、水路（１２）および調整部（１６）を含む。枠は、複数の植物（１４）を植物受け位置において水路より上に保持するように構成され、水路は、水および栄養液のような液体を含む。調整部は、枠を水路に対して上昇させること、水路を枠に対して下降させること、またはゲート（３６）を水路内においてダムとして利用することのいずれかによって、枠における複数の植物と水路における液体との間の距離を制御する。したがって、この発明のさまざまな実施の形態は空気に暴露されるかまたは液体に浸漬される根（１９）の比を調整する。液体と植物の根との間の距離を制御することによって、この発明は、植物が、（３０分のような）ある量の時間の間空気への暴露を受けることを可能にし、次いで、ある量の時間の間液体に浸漬されることを可能にし、それは、植物への栄養素送給の増大および植物成長速度の増大の効果がある。
2015504656.tif 000002
【特許請求の範囲】
【請求項１】
植物を成長させる方法であって、
根を枠に有する複数の植物を、前記根が前記枠から懸架する状態で、実質的に水路より上に位置決めするステップと、
液体を前記水路内において流れさせるステップとを含み、前記液体は、前記枠に対してある距離を規定する表面を有し、前記方法はさらに、
前記枠と前記液体の前記表面との間の前記距離を調整するステップを含む、方法。
【請求項２】
前記調整するステップは、前記枠を静止位置に維持しながら前記水路を前記枠近くに移動するステップを含む、請求項１に記載の方法。
【請求項３】
前記調整するステップは、前記水路を静止位置に維持しながら前記枠を前記水路近くに移動するステップを含む、請求項１に記載の方法。
【請求項４】
前記調整するステップは、前記水路または前記枠に結合されるストッパを作動させる調整部を含む、請求項１に記載の方法。
【請求項５】
前記調整部は、ある時間間隔中にストッパを作動させるように構成されるコンピュータ装置を含む、請求項４に記載の方法。
【請求項６】
前記ある時間間隔は３０分の時間間隔を含んでもよい、請求項５に記載の方法。
【請求項７】
前記枠はポリ塩化ビニル（ＰＶＣ）パイプを含む、請求項１に記載の方法。
【請求項８】
前記液体は水および栄養液を含む、請求項１に記載の方法。
【請求項９】
前記根は籠内に包囲される、請求項１に記載の方法。
【請求項１０】
前記籠はワイヤ網籠を含む、請求項９に記載の方法。
【請求項１１】
前記調整するステップは、前記枠への水の流れを制御するよう弁を利用するステップを含む、請求項１に記載の方法。
【請求項１２】
根がそれから懸架する複数の植物を保持するように構成される枠と、
前記枠の実質的に下に位置決めされる水路とを含み、前記水路は、第１の端部、および前記第１の端部から離れた第２の端部を有し、前記水路は、そこにおける前記第１の端部と前記第２の端部との間の液体の流れのために適合され、さらに、
前記液体の表面と前記枠との間の距離を変更するための調整部を含む、装置。
【請求項１３】
前記枠は、さらに、複数の植物を受けるための複数の植物受け位置を含む、請求項１２に記載の装置。
【請求項１４】
前記調整部は、コンピュータシステムおよびアクチュエータを含み、前記コンピュータシステムは前記アクチュエータに信号を送信して前記アクチュエータにゲートを制御させるよう構成される、請求項１２に記載の装置。
【請求項１５】
前記コンピュータシステムは、信号を送信して、前記アクチュエータにゲートを前記枠に関して長手方向軸のまわりで回転させるよう構成される、請求項１４に記載の装置。
【請求項１６】
前記コンピュータシステムは、信号を送信して、前記アクチュエータにゲートを前記枠に関して３０度および９０度の角度で回転させるよう構成される、請求項１５に記載の装置。
【請求項１７】
前記調整部は前記枠に結合され、前記枠を前記水路に対して昇降させるよう構成される、請求項１６に記載の装置。
【請求項１８】
前記調整部は前記枠に結合され、前記水路を前記枠に対して昇降させるよう構成される、請求項１２に記載の装置。
【請求項１９】
前記調整部は堰止め装置を含み、前記堰止め装置は、前記堰止め装置を通る水の通過を制御するよう、前記水路の内部に位置決めされる、請求項１２に記載の装置。
【発明の詳細な説明】
【技術分野】
【０００１】
この発明の実施の形態は、一般的に農法技術に関し、特に水耕栽培システムにおいて送給を最適化する方法および装置に関する。
【背景技術】
【０００２】
背景
長年、農業家、園芸家、植物学者および農業者は、ある種類の食物生産植物が、世界のある地域において、よりよく、より速く、およびより実り多く成長する傾向があることを知っていた。異なる植物の遺伝的構成における違いと結合された、異なる地域における土壌、成長時期、温度および雨量における違いを含んで、理由は多数である。
【発明の概要】
【発明が解決しようとする課題】
【０００３】
ある種類の食物生産植物をある地域において成長させる際のこのような困難さは、そのような地域における食料品商、市場およびレストランを、そのような食物生産植物によって与えられる果実および野菜をそのような食物生産植物が最良に成長する世界の他の地域から得るように導いた。果実および野菜は、一般的に、航空機、船舶、鉄道、トラック、および／またはその組合せによって、食料品商、市場およびレストランに輸送される。過去においては、果実および野菜を輸送するコストは相対的に安価であった。しかしながら、燃料価格における一般的傾向が増大し、果実および野菜を輸送するコストも同様に上方に向かい、果実および野菜の輸送をそれほど魅力的ではないものにし、そのような果実および野菜の購入価格をより高くした。
【０００４】
したがって、当該産業においては、食物生産植物によって与えられる果実および野菜が販売および／または消費される地方の地域においてそのような植物の成長を可能にする装置および方法であって、そのような果実および野菜の輸送のコストを最小限にし、その装置ならびに方法のこれらおよび他の問題、難点、および欠点を解消する、装置および方法に対するニーズがある。
【課題を解決するための手段】
【０００５】
概要
したがって、上に記載されたニーズおよび不足に対応するために、水耕栽培システムにおける植物への栄養素の効率的な送給を斟酌するための例示的実施の形態に従う方法および装置が提供される。
【０００６】
１つの実施の形態は、植物を成長させる方法であって、限定なしにポリ塩化ビニル（ＰＶＣ）パイプのような枠に根を有する複数の植物を、根が枠から懸架する状態で、実質的に水路より上に位置決めするステップと、水および栄養液のような液体を水路内において流れさせるステップとを含み、液体は、枠に対してある距離を規定する表面を有し、前記方法はさらに、枠と液体の表面との間の距離を調整するステップを含む、方法である。前記調整するステップは、枠を静止位置に維持しながら水路を枠近くに移動するステップ、水路を静止位置に維持しながら枠を水路近くに移動するステップ、水路または枠に結合されるストッパを作動させるステップ、または、限定なしに３０分のようなある時間間隔中にストッパを作動させるように構成されるコンピュータ装置を利用するステップを含んでもよい。複数の植物の根は籠の内に含まれてもよく、籠は水路および／または枠の内部内において懸下される。この籠は、ワイヤ籠または網籠のような、植物の根が液体から栄養素を得ることを許すであろう任意の材料から構築されてもよい。
【０００７】
別の実施の形態は、根がそれから懸架する複数の植物を保持するように構成される枠と、前記枠の実質的に下に位置決めされる水路とを含み、前記水路は、第１の端部、および前記第１の端部から離れた第２の端部を有し、前記水路は、そこにおける前記第１の端部と前記第２の端部との間の液体の流れのために適合され、さらに、液体の表面と前記枠との間の距離を変更するための調整部を含む、装置を提供する。枠は、さらに、複数の植物を受けるための複数の植物受け位置を含む。
【０００８】
調整部はコンピュータシステムおよびアクチュエータを含み、前記コンピュータシステムは、信号をアクチュエータに送信して、アクチュエータにゲートをたとえば枠に関して長手方向軸のまわりで回転させるよう構成される。コンピュータシステムは、信号を送信して、アクチュエータにゲートを枠に関して３０度および９０度の角度で回転させるよう構成されてもよい。
【０００９】
この発明は、調整部が液体と複数の植物との間の距離を制御することができるある数の態様を提供する。たとえば、調整部は枠に結合されてもよく、枠を水路に対して昇降させるよう構成される。調整部は水路に結合されてもよく、水路を枠に対して昇降させるよう構成される。代替的に、調整部は堰止め装置を含み、堰止め装置は、堰止め装置を通る水の通過を制御するよう、水路の内部に位置決めされてもよい。
【００１０】
したがって、この発明のさまざまな実施の形態は、さらに、空気に暴露されるかまたは液体に浸漬される根の比を調整するための方法、装置および手段を含む。水路において液体をオンおよびオフにするのみの一方、この発明は、根の１００％が空気に暴露されるかまたは根の１００％が水のような栄養液に暴露されるかのいずれかが結果として生じてもよい。しかしながら、この発明のさまざまな実施の形態は、より調整された栄養素送給システムを斟酌し、なぜならば、このシステムは、任意の所与の時間に空気または栄養液に暴露されるべき根の特定の割合を目標としてもよいからである。たとえば、この発明のさまざまな実施の形態は、根の１０％を３０分の間空気に暴露し、次いで根の９０％を３０分の間暴露するよう構成されることが考えられる。実際、任意の入れ換えを、コンピュータシステムにおいて植物の成長を最適化するようにプログラミングすることができる。先行技術はそのような特注送給方法を斟酌せず、したがって、この発明は、植物成長最適化のためのより最適な解決策を斟酌する。
【００１１】
図面のいくつかの図の簡単な説明
このようにこの発明の実施の形態について一般的用語で記載したが、ここで、必ずしも尺度決めされない、添付の図面を参照する。
【図面の簡単な説明】
【００１２】
【図１】この発明の実施の形態に従う農業システムを示す。
【図２】この発明の実施の形態に従う農業システムを示す。
【図３Ａ】根が栄養液に浸漬された、この発明の実施の形態に従う農業システムの断面図を与える。
【図３Ｂ】根が空気に暴露される、この発明のさらに別の実施の形態に従う農業システムの断面図である。
【図４】この発明のさらに別の実施の形態に従う農業システムの断面図である。
【図５】この発明の実施の形態に従う農業システムの構成要素を示すブロック図である。
【図６】この発明の１つの実施の形態に従う調整部を示すブロック図である。
【図７】この発明の実施の形態に従う方法のステップを示す流れ図である。
【発明を実施するための形態】
【００１３】
詳細な記載
この発明は、ここで、この発明のすべての実施の形態のすべてではないが、いくつかが示される、添付の図面を参照して、より十分に以下に記載される。実際、これらの発明は多くの異なる形式で実施されてもよく、ここに述べられた実施の形態に限定するように解釈されるべきでなく；むしろ、これらの実施の形態は、この開示が適用可能な法的要件を満たすように与えられる。同様の番号は全体を通して同様の要素を指す。
【００１４】
図１〜図２に示されるこの発明の例示的実施の形態に従って、農耕組立体１００は水路ラック組立体１１を含み、それは、複数の水路１２および複数の主要水路チャネル１５を含み、水路は主要水路チャネルに対して水平軸に沿って延在する。複数の水路１２は、複数の植物１４を保持するために構成され、少なくとも１つの端部において主要水路チャネル１５に結合される。当業者は、主要水路チャネル１５はより大きな農耕組立体の実施の形態において利用されることを認識し、したがって、より小さな環境においては、農耕組立体は単一の水路１２のみを含んでもよい。
【００１５】
各水路１２は、複数の植物の保持のために任意の好適な機構、装置または構造を含んでもよい。たとえば、および限定なしに、水路１２はＰＶＣパイプ構造またはプラスチック製トレイを含んでもよい。水路１２は、さらに水および栄養液のような任意のタイプの液体を保持することができる装置であってもよい。当業者は、各水路１２はこの発明の精神および範囲内において任意の数の装置を含んでもよいことを認識する。
【００１６】
各水路１２は複数の植物１４の保持のために複数の植物受け部１６を含んでもよい。植物は、そのそれぞれの植物受け位置内において、その植物受け位置に連結されるワイヤ籠または網籠のような枠１８を介して固定されてもよい。各枠１８は植物を受けるように構成され、それによって、根はそれから懸架し、水路１２内に落ち、植物の頂部部分は水路１２のプロファイルより上にとどまる。
【００１７】
図３Ａは、根１９が水または栄養液に浸漬された、この発明の実施の形態に従う農業システムの断面図を与える。図３Ａに示されるように、水または栄養液は予め定められるレベル２３に達するように構成される。当業者は、任意の予め定められるレベルが、植物１４の根１９の所望の割合を水または栄養液に暴露するために利用されてもよいことを認識する。
【００１８】
図３Ｂに示される実施の形態においては、タイマ３１および持上げモータ３２を調整部機構として利用して、植物１４を水または栄養液から出るように持上げて、根１９を空気に暴露する。所定時間において、持上げモータ３２はタイマ３１から信号を受け、それに応答して、枠１８を水路１２から出るように持上げ、それによって、植物１４の根１９を空気に暴露する。当業者は、タイマおよび持上げモータに加えて、任意の数の他の機構を利用して、水路１２内における水の高さを制御してもよいことを認識する。
【００１９】
たとえば、および限定なしに、各水路は、図３Ａを再び参照して、ゲート３６を含んでもよく、それは第１の端部に対向して位置決めされる。ゲート３６は、限定なしに、液体の通過を防ぐよう水路の内部のプロファイルに一致するように構成される堰止め装置を含む、任意の数の構造を含んでもよい。ゲート３６は、液体が通るのを許し、およびしたがって水路内における液体のレベルを下げるような態様で位置決めされる。水位が下げられると、複数の植物の根は空気に暴露される。堰止め装置はゲートを通過する液体の通過を防ぐために上昇してもよい。ゲート３６は、たとえば、ある量の時間が経過すると、調整部からの信号に応答して上昇してもよい。たとえば、および限定なしに、この時間の量は３０分を含んでもよい。一旦ゲート３６が一定のレベルに上昇したならば、水路内における液体のレベルはより高く、したがって、複数の植物の根は液体内に浸漬される。
【００２０】
図４は、この発明のさらに別の実施の形態に従う農業システムの断面図である。この発明のこの実施の形態においては、弁４１が、水路１２内における水の流れおよび高さを制御するために利用される。この弁４１は、任意の数の市販の弁または特注弁を含んでもよい。たとえば、弁４１は、等流内部直径を伴う任意の弁、または主要水路チャネルから植物を含む特定の水路への入口いずれかの内部の直径を狭くすることによって流れが制御される弁を含んでもよい。当業者は、任意の数の弁の構成がこの発明の精神および範囲内において用いられてもよいことを認識する。さらに別の実施の形態においては、タイマ４２を、弁４１に、通信を行なうように結合して、弁４１の直径を異なる時間に制御し、したがって、プログラミングされた時間間隔中において給水４３から植物１４に所定時間に栄養液または水を送給するように弁４１を制御してもよい。
【００２１】
図５は、この発明の実施の形態に従う農業システムの構成要素を示すブロック図である。図５に示されるように、調整部１６は枠１８のみに結合されてもよい。他の実施の形態においては、調整部１６は水路１２のみに結合されてもよく、またはさらに他の実施の形態においては、調整部１６は水路１２および枠１８の両方に結合されてもよい。調整部と農業システムの他の構成要素との間のこれらの結合は、どの実施の形態が利用されるかに依存する。たとえば、枠１８が水路１２に対して昇降されて液体と枠１８内に含まれる植物の根との間の距離を制御するこの発明の実施の形態を用いる場合、調整部は枠１８に結合され、任意で、枠１８および水路１２に結合されるだろう。
【００２２】
図６は、この発明の１つの実施の形態に従う調整部のブロック図である。調整部は、この発明のさまざまな実施の形態において、枠と水路における液体の表面のレベルとの間の距離を増大および減少するように構成された任意の機構または装置を含んでもよい。１つの実施の形態においては、調整部は、ゲート（またはダム）装置と関連して用いられるタイマを含んでもよい。別の実施の形態においては、弁装置は、弁が水路１２における水の流れを制御するための変動する内部直径を有するように構成される。
【００２３】
図６における示されるこの実施の形態においては、調整部２９は、コンピュータシステム２２、およびコンピュータシステム２２によって制御されてもよいアクチュエータ機構２４を含んでもよい。アクチュエータ機構２４によって制御されてもよいゲート２８が、枠と水路における液体の表面のレベルとの間の距離を増大および減少するように、農業システム１００において位置決めされる。たとえば、および限定なしに、ゲート２８を水路の第２の端部に位置して、水路を出る水の量（およびしたがって水路内に保持される水の量）を制御してもよい。
【００２４】
上に言及されるように、アクチュエータ機構２４は、コンピュータシステム２２とゲート２８との間に操作可能に接続される。ゲート２８のプロファイルおよび形状は、ゲートが水路内における水の流入および流出を阻むような態様において水路の断面と一致または実質的に一致してもよい。この実施の形態においては、ゲート２８は、より多くの水またはより少ない水が流れるかまたは水路を出ることを可能にするように水路に旋回するよう接続されてもよく、または、別の実施の形態においては、ゲート２８は水路に対して垂直方向に平行移動して、液体の流れを制御することも考えられる。
【００２５】
アクチュエータ機構２４は、ゲートを回転させ、持上げ、または落とすために任意の数の機械的手段を含んでもよく、コンピュータ装置に結合されてもされなくてもよい。たとえば、および限定なしに、そのようなアクチュエータ機構はゲート２８を９０度または３０度旋回するように構成されるレバーアームまたは電気的な持上げモータを含んでもよい。電気的な持上げモータは、限定なしに、図３Ｂにおいて示されるように、タイマと関連して働いてもよい。アクチュエータ機構は、さらに、水路１２を通って延在する軸を回転させるためにモータを含んでもよく、その態様は、モータが軸を３０度回転させると、ゲート２８は軸の長手方向軸のまわりを３０度回転し、それによってより多くの液体またはより少ない液体が水路１２を出ることを結果として可能にするような態様である。コンピュータシステム２２は、アクチュエータ機構２４に、ある動作が生じるよう命令するように信号を送信してもよい。たとえば、コンピュータシステム２２は、ある量の時間が経過すると、アクチュエータ機構に命令して、ゲート２８の位置を下げさせて、水がゲートを通過して流れ、およびしたがって水位を下げることを可能にしてもよい。ゲート２８はモータまたは連結システムを含む任意の機械的手段によって、下げられても、または上げられてもよい。
【００２６】
ゲート２８は農耕組立体１００のどちらの端にも位置してもよい。当業者は、水路１２内における水の量およびレベルを制御するために、ならびにさらに水の高さを制御するために、ゲート２８が水路１２に対して任意の数の態様において位置決めされてもよいことを認識する。
【００２７】
この発明の例示的実施の形態が図１〜図６と関連して上に記載されたが、ユーザの視点から実行される動作のフローチャートが、ここで、図７を参照して与えられる。フローチャートの各ブロック、およびフローチャートにおけるブロックの組合せは、１つ以上のコンピュータプログラム命令を含むソフトウェアの実行と関連付けられるハードウェア、ファームウェア、プロセッサ、回路系、および／または他の装置のようなさまざまな手段を含む、ユーザによって実現されてもよいことが理解される。たとえば、フローチャートによって示された手順の１つ以上は、コンピュータプログラム命令によって実施されてもよい。この点において、フローチャートによって示された手順を実施するコンピュータプログラム命令は、この発明の実施の形態を用いる装置のメモリ装置によって保存され、装置においてプロセッサによって実行されてもよい。
【００２８】
十分に理解されるように、任意のそのようなコンピュータプログラム命令は、マシンを形成するためにコンピュータまたは他のプログラマブルな装置（例えばハードウェア）にロードされ、結果として生じるコンピュータまたは他のプログラマブルな装置は、フローチャートブロックにおいて指定される機能の実現を斟酌してもよい。これらのコンピュータプログラム命令は、さらに、コンピュータまたは他のプログラマブルな装置に特定の態様において機能するよう命じてもよい、非一時的なコンピュータ読取可能記憶メモリに保存され、コンピュータ読取可能記憶メモリに保存された命令は、フローチャートブロックにおいて指定される機能をその実行が実現する製造物を生成してもよい。コンピュータプログラム命令は、さらに、コンピュータまたは他のプログラマブルな装置にロードされて、コンピュータまたは他のプログラマブルな装置において一連の動作を実行させて、コンピュータにより実現されるプロセスを生成して、コンピュータまたは他のプログラマブルな装置において実行される命令は、フローチャートブロックにおいて指定される機能の実現のための動作を与えてもよい。
【００２９】
したがって、フローチャートのブロックは、指定される機能の実行のための手段の組合せ、および指定される機能の実行のための動作の組合せを支持する。さらに、フローチャートの１つ以上のブロック、およびフローチャートにおけるブロックの組合せは、指定される機能を実行する特殊目的ハードウェアに基づいたコンピュータシステム、または特殊目的ハードウェアおよびコンピュータ命令の組合せによって、実現することができることが理解される。
【００３０】
図７は、この発明のシステムを動作させることにおいて、人間のユーザだけではなく、任意のタイプのコンピュータ、コンピュータにより実現されるプロセスなども含む、任意のタイプのユーザによって取られるステップを示す。図７に示されるように、方法７００はステップ７０で始まり、根を枠に有する複数の植物を水路より実質的に上に位置決めするステップに進み、根は枠から懸架する。各枠は、たとえば、および限定なしに、植物の根への水の流入を許す、ワイヤ、網、または任意の他の種類の材料から形成された籠など、植物および植物の根を保持することができる任意の機構または構造を含んでもよい。
【００３１】
次いで、方法７００はステップ７２に進み、液体を水路内において流れさせ、液体は、枠に対してある距離を規定する表面を有する。
【００３２】
一旦液体が水路内において流れていれば、方法７００はステップ７３において枠と液体の表面領域との間の距離を調整することを含む。このステップには、持上げモータ、可変駆動ポンプ、または水路内に配置されるゲートもしくは堰止め装置と関連して用いられるタイマのような調整部を含む、任意の数の方法または構造が関与してもよい。可変駆動ポンプを利用する実施の形態においては、所与の時間に、可変駆動ポンプはその速度およびしたがって流れ出力を調整して、弁の現在の状態を補償してもよい。したがって、より多くの弁がより多くの流れを形成するよう開かれるか、またはその逆である。方法７００はステップ７４で終了する。
【００３３】
この発明のさまざまな例示的実施の形態はある数の理由から有益である。たとえば、枠と水路との間の距離の調整によって、この発明は、枠に位置決めされた植物への増大した栄養素送給およびしたがって促進された植物成長を結果として生じるような態様において、植物をある期間の間空気に、およびある期間の間栄養液に暴露する。栄養素送給を改善し植物成長の速度を増大することによって、この発明は、農業者が消費者需要により迅速に対応することを可能にし、さらに、より高い収益を実現することを可能にする。
【００３４】
加えて、この発明のさまざまな実施の形態によって先行技術を超えて与えられる他の利点がある。水耕栽培技術においては、薄膜水耕（ＮＦＴ）は、液体の連続的な流れを用い、それは、一部、ＮＦＴのポンプ要件が所与のチャネルを横切る流れの総量の関数であることを意味する。この発明のさまざまな実施の形態において、水の高さはチャネルを横切る流れの量に正比例する。したがって、ＮＦＴのように、ポンプ要件はチャネルを横切る流れの総量の関数である。しかしながら、各チャネルが等しい流れを有するＮＦＴとは異なり、この発明のさまざまな実施の形態は流れにおいて可変性を与え：より高い水は増大した流れをもたらす結果となる。たとえば高さが全システムにわたって対称的に互い違いに配列される１つの実施の形態においては、１つのチャネルは高さが低く、その一方で別のチャネルは高さが高い。システムにおけるこの互い違いに配列された高さの正味効果は、ピーク流れおよびポンプに置かれた平均要件の両方における低減であり、結果として、ＮＦＴと比較して、より低い平均流れ要件をもたらす。したがって、この発明のさまざまな実施の形態は、より小さい、よりエネルギ効率のよいポンプ動作設定を斟酌する。
【００３５】
ＮＦＴを超えるこの発明のさまざまな実施の形態の第２のさらなる恩恵は、ポンプ故障または電源異常の場合における水流の影響に関する。ＮＦＴでは、システムにおいて流れがない場合、植物は数時間内に枯れ始める。この発明のさまざまな実施の形態は、水の最小高さを設定するようダムを利用するので、システムにおいて流れがない場合、ある量の水がパイプにとどまる。この水が置換されない場合、栄養分は下がり、およびしたがって植物の成長を遅くする。しかしながら、植物は、先行技術システムにおけるようには枯れない。したがって、この発明のさまざまな実施の形態は、効果的に、内蔵の障害回復機構を含む。
【００３６】
ここに述べられたこの発明の多くの修正および他の実施の形態が、これらの発明が前述の記載および関連付けられる図面において呈示された教示の恩恵を有して関係する当業者には思い浮かぶ。したがって、この発明は開示された特定の実施の形態に限定されず、修正および他の実施の形態は、特許請求の範囲の内に含まれるように意図されることが理解される。特定の文言がここに用いられるが、それらは限定の目的のためにではなく包括的および記述的な意味においてのみ用いられる。
【図１】
2015504656.tif 000003
【図２】
2015504656.tif 000004
【図３Ａ】
2015504656.tif 000005
【図３Ｂ】
2015504656.tif 000006
【図４】
2015504656.tif 000007
【図５】
2015504656.tif 000008
【図６】
2015504656.tif 000009
【図７】
2015504656.tif 000010
【国際調査報告】
2015504656.tif 000011
2015504656.tif 000012
2015504656.tif 000013